(57)【要約】【課題】端子台に接続される電線の動きを拘束して位置を保持することができ、通気が阻害される事態を抑制できる、照明器具を提供する。【解決手段】照明器具は、長尺の光源ユニットと、光源ユニットを収容する長尺の器具本体と、を備えている。器具本体は、本体部と、電源装置と、端子台と、を有している。本体部は、周囲を囲う枠体部と、枠体部の上面開口を覆う上面板と、を有し、枠体部と上面板との間に、長手方向に沿って空調リターンが設けられている。枠体部は、一対の枠側板と、枠側板の両端に配置された一対の枠端板と、を有している。上面板は、水平面部と、電源装置収容部と、を有し、電源装置収容部に電源装置が収容され、水平面部の上面に端子台が載置されている。電源装置収容部の長手方向の一端面と枠端板との間には、本体部の外部から端子台に接続される電線の配線スペースが設けられている。【選択図】図１
2020119732.tif 000002
【特許請求の範囲】
【請求項１】
長尺の光源ユニットと、
前記光源ユニットを収容し、被取付部の構成部材に取り付けられる長尺の器具本体と、を備え、
前記器具本体は、
照射面側に開口面を有する長尺で箱形の本体部と、
前記光源ユニットに電力を供給する電源装置と、
外部から電力を受給して前記電源装置に供給する端子台と、を有し、
前記本体部は、周囲を囲う枠体部と、前記枠体部の上面開口を覆う上面板と、を有し、前記枠体部と前記上面板との間に、長手方向に沿って空調リターンが設けられており、
前記枠体部は、長手方向に延びる一対の枠側板と、前記枠側板の両端に配置された一対の枠端板と、を有しており、
前記上面板は、長手方向に延びる水平面部と、前記水平面部から被取付部側に向かって突き出し長手方向に沿って形成された凸状の電源装置収容部と、を有し、前記電源装置収容部に前記電源装置が収容され、前記水平面部の上面に前記端子台が載置されており、
前記電源装置収容部の長手方向の一端面と前記枠端板との間には、前記本体部の外部から前記端子台に接続される電線の配線スペースが設けられている、照明器具。
【請求項２】
一対の前記枠端板のうち、前記配線スペースが設けられた側の前記枠端板には、前記電線を嵌め込んで保持する電線用開口部が形成されている、請求項１に記載の照明器具。
【請求項３】
前記電線用開口部は、前記枠端板の上縁部に形成された矩形状の切り欠きであり、切り欠きの縁辺に沿って樹脂製の保護部材が設けられた構成である、請求項２に記載の照明器具。
【請求項４】
前記保護部材には、切り欠きの開口縁の一部を塞ぐ保持用爪部が設けられている、請求項３に記載の照明器具。
【請求項５】
前記端子台の上面を覆うように配置され、前記電源装置収容部の外面に取り付けられる端子台カバーを更に備えている、請求項１〜４のいずれか一項に記載の照明器具。
【請求項６】
前記端子台カバーは、前記端子台の上面を覆う平板状のカバー庇部と、前記カバー庇部から前記水平面部に向かって突き出し、前記電源装置収容部にスライド自在に取り付けられる一対のカバー固定部と、を有している、請求項５に記載の照明器具。
【請求項７】
前記カバー固定部は、前記配線スペースを設けた側とは反対側に向かって突き出すように形成されている、請求項６に記載の照明器具。
【発明の詳細な説明】
【技術分野】
【０００１】
本発明は、天井等の被取付部に取り付けられる照明器具に関するものである。
【背景技術】
【０００２】
従来、天井等の被取付部に取り付けられる照明器具には、居室と天井裏の空間で空気が流れるように空調リターンが設けられた構成が知られている。例えば特許文献１に開示された照明器具は、いわゆるＴバーが格子状に複数組み合わされて形成されたシステム天井に固定される構成である。この照明器具は、略矩形状の箱体から成る本体フレームと、本体フレームに内蔵される電源部及び光源ユニットと、を備えている。本体フレームには、中央に開口を有し、該開口の両側方に電源部及び光源ユニットを収納する収納部が設けられている。収納部には、天井側の面を形成する上板に凸部が形成されており、該凸部に電源部が収容されている。電源部には、一端側に商用電源からの電源線を接続するための端子台が設けられている。端子台は、収納部の凸部の一端面に形成された開口孔から外部に露出させて設けられている。収納部の上板には、凸部の隣り合う位置に、通気用の通気孔が形成されている。この照明器具は、通気孔を通じて、居室空間と天井裏との通気経路を形成している。
【先行技術文献】
【特許文献】
【０００３】
【特許文献１】特開２０１０−１９８８５９号公報
【発明の概要】
【発明が解決しようとする課題】
【０００４】
特許文献１に開示された照明器具では、端子台が収納部の凸部の端面に露出させて設けられており、当該端子台に接続される電源線を保持する手段が設けられていない。そのため、照明器具では、電源線が被取付部の構成部材等に接触して不用意に動いた場合に、当該電源線が端子台の近傍に形成された通気孔を塞ぎ、通気を阻害してしまうおそれがある。また、特許文献１の照明器具では、端子台の周囲に電源線ケーブルの動きを拘束できる手段がない。そのため、特許文献１の照明器具では、電源線ケーブルの些細な動きで通気孔の上面を塞いでしまい、通気が阻害されるおそれがある。
【０００５】
本発明は、上記のような課題を解決するためになされたもので、端子台に接続される電線の動きを拘束して位置を保持することができ、通気が阻害される事態を抑制できる、照明器具を提供することを目的とする。
【課題を解決するための手段】
【０００６】
本発明に係る照明器具は、長尺の光源ユニットと、前記光源ユニットを収容し、被取付部の構成部材に取り付けられる長尺の器具本体と、を備え、前記器具本体は、照射面側に開口面を有する長尺で箱形の本体部と、前記光源ユニットに電力を供給する電源装置と、外部から電力を受給して前記電源装置に供給する端子台と、を有し、前記本体部は、周囲を囲う枠体部と、前記枠体部の上面開口を覆う上面板と、を有し、前記枠体部と前記上面板との間に、長手方向に沿って空調リターンが設けられており、前記枠体部は、長手方向に延びる一対の枠側板と、前記枠側板の両端に配置された一対の枠端板と、を有しており、前記上面板は、長手方向に延びる水平面部と、前記水平面部から被取付部側に向かって突き出し長手方向に沿って形成された凸状の電源装置収容部と、を有し、前記電源装置収容部に前記電源装置が収容され、前記水平面部の上面に前記端子台が載置されており、前記電源装置収容部の長手方向の一端面と前記枠端板との間には、前記本体部の外部から前記端子台に接続される電線の配線スペースが設けられているものである。
【発明の効果】
【０００７】
本発明の照明器具によれば、電源装置収容部の長手方向の一端面と枠端板との間に、本体部の外部から端子台に接続される電線の配線スペースが設けられているので、当該配線スペースで電線の動きを拘束して位置を保持することができ、電線が被取付部の構成部材等に接触しても、通気が電線によって阻害される事態を抑制できる。
【図面の簡単な説明】
【０００８】
【図１】本発明の実施の形態に係る照明器具を上面側から見た斜視図である。
【図２】本発明の実施の形態に係る照明器具を下面側から見た斜視図である。
【図３】本発明の実施の形態に係る照明器具の平面図である。
【図４】本発明の実施の形態に係る照明器具の底面図である。
【図５】本発明の実施の形態に係る照明器具であって、光源ユニットと器具本体とを分離させて示した斜視図である。
【図６】図３のＡ−Ａ線矢視断面図である。
【図７】図３のＢ−Ｂ線矢視断面図である。
【図８】本発明の実施の形態に係る照明器具を天井等の被取付部に取り付けた状態を示した要部拡大図である。
【図９】本発明の実施の形態に係る照明器具の光源ユニットを分解して示した斜視図である。
【図１０】本発明の実施の形態に係る照明器具の器具本体を分解した状態であって、下面側から示した斜視図である。
【図１１】本発明の実施の形態に係る照明器具の器具本体を分解した状態であって、上面側から示した斜視図である。
【図１２】本発明の実施の形態に係る照明器具であって、端子台に電線を接続した状態を示した要部拡大図である。
【図１３】本発明の実施の形態に係る照明器具であって、図１２の状態から端子台カバーを後方側にスライドさせた状態を示した要部拡大図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態．
図１は、本発明の実施の形態に係る照明器具を上面側から見た斜視図である。図２は、本発明の実施の形態に係る照明器具を下面側から見た斜視図である。図３は、本発明の実施の形態に係る照明器具の平面図である。図４は、本発明の実施の形態に係る照明器具の底面図である。図５は、本発明の実施の形態に係る照明器具であって、光源ユニットと器具本体とを分離させて示した斜視図である。図６は、図３のＡ−Ａ線矢視断面図である。図７は、図３のＢ−Ｂ線矢視断面図である。図８は、本発明の実施の形態に係る照明器具を天井等の被取付部に取り付けた状態を示した要部拡大図である。図９は、本発明の実施の形態に係る照明器具の光源ユニットを分解して示した斜視図である。図１０は、本発明の実施の形態に係る照明器具の器具本体を分解した状態であって、下面側から示した斜視図である。図１１は、本発明の実施の形態に係る照明器具の器具本体を分解した状態であって、上面側から示した斜視図である。図１２は、本発明の実施の形態に係る照明器具であって、端子台に電線を接続した状態を示した要部拡大図である。
【００１１】
本実施の形態に係る照明器具１００は、図１〜図７に示すように、長尺の光源ユニット１と、該光源ユニット１を収容する長尺の器具本体２と、を有しており、図８に示すように、いわゆるＴバー等の構成部材１０１が格子状に複数組み合わされて形成されたシステム天井に固定されるものである。
【００１２】
光源ユニット１は、図９に示すように、長手方向に延びるケース部材１０と、ケース部材１０の内部に収容された発光基板１１と、を有している。ケース部材１０は、照射面側である下面、及び長手方向の両端面に開口面を有する断面略Ｕ字状のフレーム１０ａと、フレーム１０ａの下面を塞ぐカバー１０ｂと、フレーム１０ａの長手方向の両端面を塞ぐ端面板１０ｃと、を有している。ケース部材１０は、図２及び図５に示すように、器具本体２の内部に着脱自在に収容されている。
【００１３】
発光基板１１は、長尺の基板１１ａと、基板１１ａ上に実装された複数の発光素子１１ｂと、を有している。発光基板１１は、基板１１ａがフレーム１０ａの上面に固定されて取り付けられている。発光素子１１ｂは、カバー１０ｂに対向させて配置されている。つまり、光源ユニット１は、発光素子１１ｂから発光された光が、カバー１０ｂを介して居住空間に照射される構成である。
【００１４】
図１０及び図１１に示すように、器具本体２は、照射面側である下面に開口面を有する長尺で箱形の本体部３と、光源ユニット１に電力を供給する電源装置６と、外部から電力を受給して電源装置６に供給する端子台７と、端子台７の上面を覆う端子台カバー８と、を有している。なお、図示した端子台７は、電源端子台７０と信号端子台７１とで構成されている。
【００１５】
本体部３は、図１０及び図１１に示すように、周囲を囲う枠体部４と、枠体部４の上面を覆う上面板５と、を有し、図６及び図７に示すように、枠体部４と上面板５との間に、長手方向に沿って空調リターン９が設けられている。
【００１６】
枠体部４は、図１０及び図１１に示すように、長手方向に延びる一対の枠側板４０と、枠側板４０の両端に配置された一対の枠端板４１と、を有している。枠側板４０の上端部には、内方側に向かって屈曲させたフランジ部４０ａが形成されている。枠端板４１は、内部に収容した光源ユニット１の端面板１０ｃとネジ等の接合部材を用いて接合されている。また、枠端板４１の外面には、照明器具１００を被取付部の構成部材１０１（図８を参照）に掛け留めて固定するためのツメ部４１ａが左右に並べて２つ設けられている。
【００１７】
また、図１０〜図１２に示すように、一対の枠端板４１のうち、一方の枠端板４１には、端子台７に接続される電線７２を嵌め込んで、当該電線７２の動きを拘束する電線用開口部４２が形成されている。電線用開口部４２は、図８に示すように、ツメ部４１ａをＴバー等の構成部材１０１に掛け留めた際に、構成部材１０１よりも上方となる位置に形成されている。構成部材１０１に電線７２が干渉する事態を防止するためである。
【００１８】
電線用開口部４２は、枠端板４１の上縁部に形成された矩形状の切り欠きである。電線用開口部４２は、図１０〜図１２に示すように、切り欠きの縁辺に沿って設けられた樹脂製の保護部材４３を有している。保護部材４３には、電線用開口部４２に嵌め込んだ電線７２が抜け出さないように切り欠きの開口縁の一部を塞ぐ保持用爪部４３ａが設けられている。図示した保持用爪部４３ａは、切り欠きの上端の両端部から開口縁の中央に向かって突き出した構成である。なお、保持用爪部４３ａは、図示した構成に限定されず、他の形態でもよい。
【００１９】
上面板５は、図１０及び図１１に示すように、長手方向に延びる長方形状の水平面部５０と、水平面部５０の長手方向の両縁辺に沿って下方に屈曲させた一対のフランジ部５１と、水平面部５０の略中央位置から被取付部側に向かって突き出し長手方向に沿って形成された矩形の凸状からなる電源装置収容部５２と、を有している。図６及び図７に示すように、水平面部５０とフランジ部５１とで囲まれた空間は、光源ユニット１の略上半分を収容する光源ユニット収容部とされている。なお、図２、図６及び図７に示すように、光源ユニット１の略下半分は、枠体部４の枠側板４０との間に隙間を設けて枠体部４に周囲が囲まれている。
【００２０】
上面板５は、水平面部５０の上面に端子台７が載置され、電源装置収容部５２に電源装置６が収容されている。電源装置収容部５２の長手方向の一端面と枠端板４１との間には、本体部３の外部から端子台７に接続される電線７２の配線スペース５３が設けられている。また、電源装置収容部５２には、端子台７の近傍に、端子第７と電源装置６とを接続する電線７３及び７４を通すための電線孔５２ａが２つ並べて形成されている。
【００２１】
上面板５は、図６及び図７に示すように、電源装置収容部５２の上面が、枠側板４０のフランジ部４０ａと略面一となるように配置されている。電源装置収容部５２の側面と枠側板４０のフランジ部４０ａの端縁との間には、通気用の隙間が形成されている。当該隙間は、天井裏に連通している。また、上面板５は、水平面部５０の上面と枠側板４０のフランジ部４０ａの下面との間に隙間を設けて配置されている。また、上面板５は、フランジ部５１と枠側板４０の側面との間に隙間を設けて対向させて配置されている。この隙間は、居室空間と連通している。つまり、照明器具１００は、前記の隙間が空調リターン９となり、照射空間である居室と天井裏である被取付部の裏側との間で通気を行うことができる。
【００２２】
電源装置６は、例えば図５及び図１０に示すように、長尺形状であり、電源装置収容部５２に収容されている。電源装置６は、図１２に示すように、端子台７と電線７３及び７４で接続されている。また、電源装置６は、光源ユニット１と図示省略の電線で接続されている。電源装置６は、端子台７から供給された電力を光源ユニット１に供給するために設けられている。
【００２３】
端子台７は、図１、図１０〜図１２に示すように、電源端子台７０と信号端子台７１とで構成されており、水平面部５０の上面に載置されて固定されている。具体的には、電源端子台７０及び信号端子台７１は、電線用開口部４２を有する側の一端部に配置され、電源装置収容部５２を間に挟んで水平面部５０の上面に載置されて固定されている。つまり、端子台７は、枠体部４と上面板５との間に長手方向に沿って設けられた空調リターン９に干渉しない位置に配置されている。また、端子台７に接続される電線７２、７３、７４を空調リターン９の一端側に集約することができるので、空調リターン９を排煙用開口として利用することもできる。なお、電源端子台７０及び信号端子台７１は、外部からの電線７２を接続する面が、電線用開口部４２側に向くように配置されている。
【００２４】
電源端子台７０には、図１２に示すように、商用電源から電力供給を受けるための電源線７２ａが接続されている。電源線７２ａは、例えばＦケーブル等であり、電線用開口部４２に嵌め込まれている。また、電源端子台７０と電源装置６とは、電線孔５２ａを介して通した電線７３によって接続されている。信号端子台７１は、外部の制御機器からの信号を受信するために設けられている。信号端子台７１には、電線用開口部４２に嵌め込まれた信号線７２ｂで制御機器と接続されている。また、信号端子台７１と電源装置６とは、電線孔５２ａを介して通した電線７４によって接続されている。電源装置６に信号を送信するためである。なお、電源線７２ａ及び信号線７２ｂは、切り欠いた開口縁から電線用開口部４２が嵌め込まれる。
【００２５】
図１３は、本発明の実施の形態に係る照明器具であって、図１２の状態から端子台カバーを後方側にスライドさせた状態を示した要部拡大図である。端子台カバー８は、電源端子台７０と信号端子台７１の上面を覆うように配置されており、電源装置収容部５２の外面に取り付けられている。具体的には、図１０〜図１３に示すように、端子台カバー８は、電源端子台７０と信号端子台７１の上面を覆う平板状のカバー庇部８０と、カバー庇部８０の中間部から水平面部５０に向かって突き出して、電源装置収容部５２にスライド自在に取り付けられる一対のカバー固定部８１と、を有している。カバー固定部８１は、配線スペース５３を設けた側とは反対側に向かって突き出すように形成されている。カバー固定部８１と電源線７２ａ及び信号線７２ｂとが干渉する事態を防止し、良好な配線を行えるようにするためである。一対のカバー固定部８１は、電源装置収容部５２の短手方向の幅寸と略同じか、若干大きい程度の間隔をあけて形成されて、電源装置収容部５２の両側面を挟むように設けられている。
【００２６】
カバー固定部８１には、ネジ等の接合部材８２を通す貫通孔８１ａが形成されており、貫通孔８１ａに通した接合部材８２を電源装置収容部５２に形成されたネジ孔にネジ込んで電源装置収容部５２の外面に取り付けられている。貫通孔８１ａは、長手方向に長い長孔として形成されている。そのため、端子台カバー８は、接合部材８２の締結状態を緩めることで、図１３に示すように、長手方向にスライドさせることができる。照明器具１００は、端子台カバー８をスライドさせることで、端子台７を外部に露出させることができるので、電源線７２ａ及び信号線７２ｂの接続作業を容易に行うことができる。
【００２７】
以上のように、本実施の形態に係る照明器具１００では、長尺の光源ユニット１と、光源ユニット１を収容し、被取付部の構成部材１０１に取り付けられる長尺の器具本体２と、を備えている。器具本体２は、照射面側に開口面を有する長尺で箱形の本体部３と、光源ユニット１に電力を供給する電源装置６と、外部から電力を受給して電源装置６に供給する端子台７と、を有している。本体部３は、周囲を囲う枠体部４と、枠体部４の上面開口を覆う上面板５と、を有し、枠体部４と上面板５との間に、長手方向に沿って空調リターン９が設けられている。枠体部４は、長手方向に延びる一対の枠側板４０と、枠側板４０の両端に配置された一対の枠端板４１と、を有している。上面板５は、長手方向に延びる水平面部５０と、水平面部５０から被取付部側に向かって突き出し長手方向に沿って形成された凸状の電源装置収容部５２と、を有し、水平面部５０の上面に端子台７が載置され、電源装置収容部５２に電源装置６が収容されている。電源装置収容部５２の長手方向の一端面と枠端板４１との間には、本体部３の外部から端子台７に接続される電線７２の配線スペース５３が設けられている。したがって、実施の形態に係る照明器具１００では、配線スペース５３で電線７２を保持することができるので、電線７２が被取付部の構成部材等に接触して不用意に動いても、電線７２の動きを拘束して位置を保持することができ、通気が電線７２によって阻害される事態を抑制できる。また、照明器具１００は、配線スペース５３を設けることによって、端子台７に接続される電線７２、７３、７４を空調リターン９の一端側に集約することができるので、電線７２、７３、７４が空調リターン９と干渉する事態を抑制できるし、空調リターン９を排煙用開口として利用することもできる。
【００２８】
一対の枠端板４１のうち、配線スペース５３が設けられた側の枠端板４１には、電線７２を保持する電線用開口部４２が形成されている。よって、実施の形態に係る照明器具１００では、電線７２の動きをより効果的に拘束でき、位置を保持することができる。
【００２９】
電線用開口部４２は、枠端板４１の上縁部に形成された矩形状の切り欠きであり、切り欠きの縁辺に沿って樹脂製の保護部材４３が設けられた構成である。よって、実施の形態に係る照明器具１００では、電線７２を保護部材４３で保護することができ、信頼性の高い照明器具を実現できる。
【００３０】
保護部材４３には、切り欠きの開口縁の一部を塞ぐ保持用爪部４３ａが設けられている。よって、実施の形態に係る照明器具１００では、電線７２が電線用開口部４２から不用意に抜け出る事態を防止することができ、電線７２を電線用開口部４２で確実に拘束することができる。
【００３１】
端子台７の上面を覆うように配置され、電源装置収容部５２の外面に取り付けられる端子台カバー８を更に備えている。端子台カバー８は、端子台７の上面を覆う平板状のカバー庇部８０と、カバー庇部８０から水平面部５０に向かって突き出し、電源装置収容部５２にスライド自在に取り付けられる一対のカバー固定部８１と、を有している。よって、実施の形態に係る照明器具１００では、電線７２と端子台７との接続部分を保護することができる。
【００３２】
カバー固定部８１は、配線スペース５３を設けた側とは反対側に向かって突き出すように形成されている。よって、実施の形態に係る照明器具１００では、カバー固定部８１と電源線７２ａ及び信号線７２ｂとが干渉する事態を防止し、良好な配線を行うことができる。
【００３３】
以上に本発明を実施の形態に基づいて説明したが、本発明は上述した実施の形態の構成に限定されるものではない。例えば、照明器具１００は、天井以外の被取付部に取り付けてもよい。また、図示した照明器具１００は、一例であって、他の構成要素を含んでもよい。また、器具本体２は、長尺形状に関して説明したが、長尺形状でなくても良い。器具本体２は、端子台７、空調リターン９及び配線スペース５３が直線状に併設するような形状であればよい。要するに、本発明は、その技術的思想を逸脱しない範囲において、当業者が通常に行う設計変更及び応用のバリエーションの範囲を含むものである。
【符号の説明】
【００３４】
１  光源ユニット、２  器具本体、３  本体部、４  枠体部、５  上面板、６  電源装置、７  端子台、８  端子台カバー、９  空調リターン、１０  ケース部材、１０ａ  フレーム、１０ｂ  カバー、１０ｃ  端面板、１１  発光基板、１１ａ  基板、１１ｂ  発光素子、４０  枠側板、４０ａ  フランジ部、４１  枠端板、４１ａ  ツメ部、４２  電線用開口部、４３  保護部材、４３ａ  保持用爪部、５０  水平面部、５１  フランジ部、５２  電源装置収容部、５２ａ  電線孔、５３  配線スペース、７０  電源端子台、７１  信号端子台、７２  電線、７２ａ  電源線、７２ｂ  信号線、７３、７４  電線、８０  カバー庇部、８１  カバー固定部、８１ａ  貫通孔、８２  接合部材、１００  照明器具、１０１  構成部材。
【図１】
2020119732.tif 000003
【図２】
2020119732.tif 000004
【図３】
2020119732.tif 000005
【図４】
2020119732.tif 000006
【図５】
2020119732.tif 000007
【図６】
2020119732.tif 000008
【図７】
2020119732.tif 000009
【図８】
2020119732.tif 000010
【図９】
2020119732.tif 000011
【図１０】
2020119732.tif 000012
【図１１】
2020119732.tif 000013
【図１２】
2020119732.tif 000014
【図１３】
2020119732.tif 000015